(57)【特許請求の範囲】
【請求項１】
天井に取り付けられる下方に開口部が設けられた固定枠と、前記開口部を通じて収容される灯具と、この灯具を吊り下げるワイヤと、このワイヤを巻出し巻取りするリフタと、このリフタによるワイヤの巻出し巻取り制御を行うコントローラとを有し、前記灯具はその外形が略円盤形状以外の形状に形成されている昇降式照明器具であって、
前記固定枠と灯具のいずれか一方側には係止部が設けられ、他方側には前記係止部に対抗して、周囲から中央に向けて次第に深くなるよう形成されたすり鉢状のガイド係止溝が凹設されており、
前記コントローラは、前記灯具の一部が前記固定枠内に収納される直前に、灯具の振動が略停止するまでリフタによるワイヤの巻取り動作を一時的に停止させ、予め設定された規定時間経過後に前記リフタを再起動するよう制御すると共に、その再起動時の前記灯具の上昇に伴って、前記係止溝の形状に沿って前記係止部を摺動案内する構成であることを特徴とする昇降式照明器具。
【請求項２】
前記係止部とガイド係止溝のいずれか一方は磁性材料で構成され、他方はこの磁性材料で磁化される金属材料で構成されていることを特徴とする請求項１に記載の昇降式照明器具。
【発明の詳細な説明】
【技術分野】
【０００１】
本発明は、昇降式照明器具に関する。
【背景技術】
【０００２】
体育館、講堂、劇場などの高天井に取り付けられる照明器具においては、床面での保守、点検やランプ交換が容易に行えるようにするため、ランプや蛍光灯などの光源を有する灯具を昇降自在に設けた、いわゆる昇降式照明器具が使用されることがある。
【０００３】
このような昇降式照明器具においては、天井に取り付けられた固定枠から灯具を複数のワイヤで吊り下げるとともに、固定枠に設けたリフタによってこのワイヤを巻出し巻取りすることで灯具が昇降される。そして、通常時には、ワイヤを巻取り状態に保持することで、灯具が固定枠内に収納される。
【０００４】
ところで、このような昇降式照明器具においては、ワイヤが撚り線で構成されているため、灯具を昇降する際にワイヤに捩りが生じて灯具が水平面に沿って振動する。この場合、灯具を下降させる際には、広い空間内で灯具が振動するだけなので特に大きな問題は生じないが、灯具を上昇させて固定枠内に収納する際に問題が生じる。
【０００５】
すなわち、灯具に設ける光源として、複数のランプを一列に配置したり、直管形蛍光灯が使用されている場合、灯具のセードの形状は平面視で長方形などの角形に形成され、これに併せて、この灯具を収納する固定枠もその形状に合致するように角形に形成されている。したがって、このような形状を有する灯具を上昇させて固定枠内に収納する場合、灯具が水平面に沿って振動していると、その各角部が固定枠の各辺の底部に当接してワイヤをそれ以上巻取ることができず灯具を固定枠内に収納できなくなったり、リフタに過剰な負荷が加わって故障したりするといった不具合を生じる。
【０００６】
その対策として、従来技術では、上昇する灯具のセードの稜線部分を押圧してセードの振動方向とは逆方向の旋回力を与えるバネ部材を有する振動抑止機構を設け、この振動抑止機構の付勢力で灯具の振動を抑制したり（例えば、下記の特許文献１参照）、あるいは、灯具の振動を検出する捩れ検出スイッチを設け、灯具が所定量以上振動していると捩れ検出スイッチがオンしてリフタによるワイヤの巻取り動作を停止し、この停止に伴い灯具の振動が所定量以下になると捩れ検出スイッチをオフになってリフタによるワイヤの巻取り動作を再開するようにしたもの（例えば、下記の特許文献２参照）などが提案されている。
【０００７】
なお、灯具の外形が円盤型をしておれば、この灯具を収納する固定枠もその形状に合致するように円形に形成されていて、いずれも角部が存在しないため、このような問題を生じることはない。
【特許文献１】実開昭６０−７１０１２号公報
【特許文献２】実開昭５９−２０１３号公報
【発明の開示】
【発明が解決しようとする課題】
【０００８】
しかしながら、上記の特許文献１、２記載の従来技術のように、別途、振動抑止機構や捩れ検出スイッチを設ける場合には、構造が複雑化するとともに、余分なコストアップとなる。また、灯具を多数本のワイヤで吊り下げた構成にすれば、昇降時の振動抑制効果は高まるが、リフタの機構が複雑化するとともに、コストアップになってしまう。
【０００９】
本発明は、上記の課題を解決するためになされたもので、灯具を引き上げる際、余分なコストアップを招来することなく、簡単な構成でもって確実かつ自動的に灯具を固定枠内に収納することができる昇降式照明器具を提供することを目的とする。
【課題を解決するための手段】
【００１０】
上記の目的を達成するために、本発明は、天井に取り付けられる下方に開口部が設けられた固定枠と、前記開口部を通じて収容される灯具と、この灯具を吊り下げるワイヤと、このワイヤを巻出し巻取りするリフタと、このリフタによるワイヤの巻出し巻取り制御を行うコントローラとを有し、前記灯具はその外形が略円盤形状以外の形状に形成されている昇降式照明器具において、次の構成を採用している。
【００１１】
すなわち、本発明では、天井に取り付けられる下方に開口部が設けられた固定枠と、前記開口部を通じて収容される灯具と、この灯具を吊り下げるワイヤと、このワイヤを巻出し巻取りするリフタと、このリフタによるワイヤの巻出し巻取り制御を行うコントローラとを有し、前記灯具はその外形が略円盤形状以外の形状に形成されている昇降式照明器具において、前記固定枠と灯具のいずれか一方側には係止部が設けられ、他方側には前記係止部に対抗して、周囲から中央に向けて次第に深くなるよう形成されたすり鉢状のガイド係止溝が凹設されており、前記コントローラは、前記灯具の一部が前記固定枠内に収納される直前に、灯具の振動が略停止するまでリフタによるワイヤの巻取り動作を一時的に停止させ、予め設定された規定時間経過後に前記リフタを再起動するよう制御すると共に、その再起動時の前記灯具の上昇に伴って、前記係止溝の形状に沿って前記係止部を摺動案内する構成であることを特徴としている。
【００１２】
また、請求項２記載の発明では、請求項１記載の発明の構成において、前記係止部とガイド係止溝のいずれか一方は磁性材料で構成され、他方はこの磁性材料で磁化される金属材料で構成されていることを特徴としている。
【発明の効果】
【００１４】
請求項１記載の発明によれば、コントローラは、灯具の一部が固定枠内に収納される直前に、灯具の振動が略停止するまでリフタによるワイヤの巻取り動作を一時的に停止させ、予め設定された規定時間経過後に前記リフタを再起動する制御を行うので、灯具を引き上げて固定枠に収納される直前の位置で予め灯具の振動を低減させることができる。このため、簡単な構成でもって確実かつ自動的に灯具を固定枠内に収納することができる。しかも、コントローラの制御のみでその対策がとれるため、余分なコストアップを招来することもなく、かつ、自動的に実行されるので、操作者の余分な手間を省くことができる。また、灯具が固定枠の収納位置近くまで上昇すると、係止片がガイド係止溝内に当接して係止されるため、さらに確実に振動を抑制して固定枠内に収納することが可能となる。さらに、係止溝がすり鉢状になっているがため、吊り下げ部材であるワイヤ特有の水平方向の揺れに対して、灯具の揺れを抑制し、より確実に固定枠に収納することができる
【００１５】
請求項２記載の発明によれば、係止部とガイド係止溝とを磁性材料と金属材料との組み合わせとしたので、磁力によって振動を一層速やかに低減することができ、さらに確実に灯具を固定枠内に収納することが可能となる。
【発明を実施するための最良の形態】
【００１７】
以下、本発明の実施の形態について、図面を参照して詳しく説明する。図１は本発明の実施の形態における昇降式照明器具の概略構成を示す斜視図、図２は同照明器具の灯具の要部を示す正面図である。
【００１８】
この実施の形態における昇降式照明器具は、固定枠１、この固定枠１に対して昇降される灯具２、この灯具２を吊り下げる一対のワイヤ３、これらのワイヤ３の巻出し巻取りを行うリフタ４、およびこのリフタ４によるワイヤ３の巻出し巻取り操作を行うための制御盤５を主体に構成されている。
【００１９】
上記の固定枠１は、その上部が天井６に埋設される一方、下部は下方に向けて開口しており、この開口部７は灯具２のセードの外周形状に合致するように略長方形に形成されている。そして、この固定枠１の天井６埋設側の上部にリフタ４が設けられている。さらに、この固定枠１にはその開口部７を臨む所定位置に、後述する灯具２のガイド係止溝１４と係合する２つの棒状の係止片１０が突設されている。
【００２０】
リフタ４は、可逆回転形のモータと、このモータに連設されたドラム（いずれも図示省略）とを備え、ドラムに各ワイヤ３が巻き付けられ、各ワイヤ３の下端が灯具２に固定されている。
【００２１】
灯具２は、図示しないが、光源として複数のランプを一列に配置したり、直管形蛍光灯が使用されており、このため、本例では光源が取り付けられるセード１１の外形形状は平面視で長方形に形成されている。ただし、固定枠１の開口部７を通して灯具２のセード１１を収納する必要がある関係上、両者７，１１の間に若干のクリアランスが生じるように、セード１１の外形は固定枠１の開口部７の大きさよりも若干小さくなるように予め形成されている。
【００２２】
また、セード１１の上部には、略円板状の台座部１２が、この台座部１２の上部にワイヤ固定部１３がそれぞれ一体的に設けられており、台座部１２には前後二箇所に前記係止片１０と当接して係止するガイド係止溝１４が凹設されている。この場合のガイド係止溝１４は周囲から中央に向けて次第に深くなするようなすり鉢状に形成されている。また、ワイヤ固定部１３にはワイヤ３の下端が取り付けられるとともに、灯具２の光源に電力供給する電源ケーブル１５が引き出され、この電源ケーブル１５は天井６に配設された屋内配線に電気的に接続されている。
【００２３】
制御盤５は、下降スイッチ１７と上昇スイッチ１８が設けられるとともに、これらのスイッチ操作に応じてリフタ４を制御するコントローラ１９を有する。そして、コントローラ１９は、例えばマイクロコンピュータを備え、このマイクロコンピュータに対して所定の制御プログラムをインストールすることにより、下降スイッチ１７の操作に応じてリフタ４を起動してワイヤ３の巻出しを行う一方、上昇スイッチ１８に操作に応じてリフタ４を起動してワイヤ３の巻取りを行うとともに、灯具２の一部が固定枠１内に収納される直前に灯具２の振動が略停止するまでリフタ４によるワイヤ３の巻上げ動作を一時的に停止させ、予め設定された規定時間経過後にリフタ４を再起動する制御を行うように構成されている。
【００２４】
次に、上記構成の昇降式照明器具において、特に、灯具２を引き上げる場合のコントローラ１９による制御動作について、図３に示すフローチャートを参照して説明する。コントローラ１９は、上昇スイッチ１８がオンされるのを待ち（Ｓ１）、上昇スイッチ１８がオンされると、リフタ４のモータを起動する（Ｓ２）。これにより、ワイヤ３が巻き上げられて灯具２の上昇が開始される。これと同時に内部タイマを起動する（Ｓ３）。そして、内部タイマの経時時間を計測することで、ワイヤ３の巻取り量を算出し、その巻取り量が予め設定された基準値Ｋ１を越えたか否かを判定する（Ｓ４）。
【００２５】
このとき、巻取り量が予め設定された基準値Ｋ１を越えた場合には、灯具２が固定枠１の開口部７に挿入される直前の位置にあると判断し、コントローラ１９はリフタ４のモータを停止する（Ｓ５）。これと同時に内部タイマに予め規定された停止継続時間Ｔ２をセットする（Ｓ６）。この場合の停止継続時間Ｔ２は、灯具２の振動が停止するまでの時間を予め実験で計測するなどして適切な値に設定される。
【００２６】
そして、内部タイマによる停止継続時間Ｔ２が経過すると（Ｓ７）、灯具２の振動が略停止していると推定されるため、次にコントローラ１９は、リフタ４のモータを再起動する（Ｓ８）。これにより、ワイヤ３が再び巻き上げられて灯具２の上昇が開始される。その際、既に灯具２の振動は低減されているため、灯具２のセード１１の角部が固定枠１の各辺に当接することなく固定枠１の開口部７を通過してスムーズに内部に収納される。そして、灯具２が固定枠１内において上死点に達すると、上死点に設けた図示しないリミットスイッチがオンし（Ｓ９）、これに応じてコントローラ１９はリフタ４のモータを停止する（Ｓ１０）。
【００２７】
なお、灯具２のセード１１が固定枠１の開口部７内に挿入された直後の状態では、灯具２が未だ若干振動している可能性があるが、灯具２の上昇に伴って固定枠１に設けた係止片１０が灯具２のガイド係止溝１４内に当接して当該溝１４に沿って摺動し、最終的には当該溝１４の底部で係止されるため、さらに確実に振動が抑制される。
【００２８】
以上のように、この実施の形態において、コントローラ１９は、灯具２の一部が固定枠１内に収納される直前に、灯具２の振動が略停止するまでリフタ４によるワイヤ３の巻取り動作を一時的に停止させ、規定時間経過後にリフタ４を再起動する制御を行うので、灯具２を引き上げて固定枠１に収納される直前の位置で予め灯具２の振動を低減させることができる。このため、簡単な構成でもって確実かつ自動的に灯具２を固定枠１内に収納することができる。しかも、コントローラ１９の制御のみでその対策がとれるため、余分なコストアップを招来することもなく、かつ、自動的に実行されるので、操作者の余分な手間を省くことができる。
【００２９】
なお、上記の実施の形態に対して、次の各種変形例や応用例を考えることができる。
【００３０】
（１）実施の形態では、一対の係止片１０を設け、これに応じてガイド係止溝１４も灯具２の二箇所に設けているが、係止片１０とガイド係止溝１４をそれぞれ一箇所のみに設けることもできる。さらに、係止片１０を固定枠１側に、ガイド係止溝１４を灯具２側に設けているが、その逆に係止片１０を灯具２側に、ガイド係止溝１４を固定枠１側に設けた構成とすることも可能である。
【００３１】
（２）上記の実施の形態の構成に対して、固定部材の台座部１２のガイド係止溝１４の形成箇所の底部近傍に磁性材料である磁石を埋設し、係止片１０を磁石で磁化される金属材料で形成すれば、磁力によって両者が吸引されるので振動を速やかに低減することができ、さらに確実に灯具２を固定枠１内に収納することが可能となる。
【００３２】
（３）ここでは灯具２のセード１１の形状は長方形としたが、本発明はこれに限定されるものではなく、例えば正方形や三角形など、その外形が略円盤形状以外の形状のものについても適用可能である。
【００３３】
（４）また、ここではコントローラ１９の内部タイマによってワイヤ３の巻取り量を算出することでリフタ４の停止時点を判断するようにしたが、その他に、例えば、リフタ４にワイヤ３の巻取り量を検出するセンサを設け、灯具２が固定枠１に収納される直前の巻取り量を検知することでモータを規定時間が経過するまで停止させるようにすることも可能である。あるいは、灯具２と固定枠１との距離を検知するセンサを設け、灯具２が固定枠１に収納される直前の両者１，２の距離を検知することでリフタ４を規定時間が経過するまで停止させるようにすることも可能である。
【図面の簡単な説明】
【００３４】
【図１】本発明の実施の形態における昇降式照明器具の概略構成を示す斜視図である。
【図２】同照明器具の灯具の要部を示す正面図である。
【図３】同照明器具のコントローラによる灯具の引き上げ制御動作の説明に供するフローチャートである。
【符号の説明】
【００３５】
１    固定枠
２    灯具
３    ワイヤ
４    リフタ
５    制御盤
６    天井
７    開口部
１０    係止片
１４    ガイド係止溝
１９    コントローラ
【図１】
0005029287.tif 000002
【図２】
0005029287.tif 000003
【図３】
0005029287.tif 000004